(57)【要約】  プラスチック製のボトル状の容器において、互いに並んで配置された少なくとも２つの室２５,２６が設けられていて、該室がそれぞれ１つの底部分３２,３３を備えており、互いに並んで配置された室２５,２６が、少なくとも部分的に裂開可能な継ぎ目２７,２８によって隔てられている。
2007506620.tif 000002
【特許請求の範囲】
【請求項１】
プラスチック製のボトル状の容器であって、互いに並んで配置された少なくとも２つの室（２５,２６）が設けられていて、該室がそれぞれ１つの底部分（３２,３３）を備えており、互いに並んで配置された室（２５,２６）が、少なくとも部分的に裂開可能な継ぎ目（２７,２８）によって隔てられていることを特徴とする、ボトル状の容器。
【請求項２】
第３の室（２９）が、互いに並んで配置された２つの室（２５,２６）を、少なくとも部分的に裂開可能な継ぎ目（２７,２８）によって互いに隔てている、請求項１記載の容器。
【請求項３】
底部分（３２,３３）が、平面図で見て尖った楕円形に形成されていて、先端（３４,３５）が互いに向かい合うように配置されている、請求項１又は２記載の容器。
【請求項４】
底部分が、一体的な底部によって形成される、請求項１から３までのいずれか１孔記載の容器。
【請求項５】
第３の室（２９）が、互いに並んで配置された２つの室（２５,２６）を完全に隔てている、請求項１から４までのいずれか１項記載の容器。
【請求項６】
第３の室（６）が、挿入された底部分（７）を備えている、請求項１から５までのいずれか１項記載の容器。
【請求項７】
１つの室（２９）が、注出口（３１）、注出舌状片又はこれに類したものを備えている、請求項１から６までのいずれか１項記載の容器。
【請求項８】
第３の室（２９）が、隣接した室（２５,２６）の底部分（３２,３３）に向かって先端（３６）において終わるように形成されている、請求項１から７までのいずれか１項記載の容器。
【請求項９】
第３の室（２９）の先端（３６）と、底部分（３２,３３）の互いに向かい合っている先端（３４,３５）とが、１つの結合部（３７）において終わっている、請求項１から８までのいずれか１項記載の容器。
【請求項１０】
第３の室（４２）の先端（４３）が別の継ぎ目（４８）において延長されており、該別の継ぎ目（４８）が、互いに並んで配置された室（４０,４１）を裂開可能に隔てていて、１つの結合部において、隣接した室（４０,４１）の２つの底部（４６,４７）の互いに向かい合っている先端（４４,４５）と合致している、請求項１から９までのいずれか１項記載の容器。
【請求項１１】
第３の室（６１）の先端（６８）が、第４の室（６９）の先端と合致している、請求項１から１０までのいずれか１項記載の容器。
【請求項１２】
第４の室（６９）が底部分を有している、請求項１から１１までのいずれか１項記載の容器。
【請求項１３】
互いに直接的に並んで位置している室（２,３,６）が上側においてそれぞれ、成形部材の、平面図で見てボート形の区分（１１〜１３）によって閉鎖されている、請求項１から１２までのいずれか１項記載の容器。
【請求項１４】
少なくとも１つの室（１０２〜１０４）が底部分（１０８〜１１０）によって閉鎖されており、該底部分（１０８〜１１０）が充填開口（１１１〜１１３）を有していて、底部分（１０８〜１１０）が設置足（１１４）に載置されている、請求項１から１３までのいずれか１項記載の容器。
【請求項１５】
すべての室（１０２〜１０４）が、１つの共通の設置足（１１４）に載置されている底部分（１０８〜１１０）を有している、請求項１から１４までのいずれか１項記載の容器。
【請求項１６】
設置足（１３６）が、少なくとも部分的に自由に延びる底板（１３７）を有している、請求項１から１５までのいずれか１項記載の容器。
【請求項１７】
充填開口（１１１〜１１３）が設置足（１１４）を貫いて延びるように延長されている、請求項１から１６までのいずれか１項記載の容器。
【請求項１８】
底部分（１０８〜１１０）と設置足（１１４）とが一体的に形成されている、請求項１から１７までのいずれか１項記載の容器。
【請求項１９】
設置足（１１４）と底部分（１０８〜１１０）との間に円筒形のシャフト（１１５〜１１７）が配置されている、請求項１から１８までのいずれか１項記載の容器。
【請求項２０】
シャフト（１１５〜１１７）が、所属の底部分（１０８〜１１０）に対して減じられた横断面を有している、請求項１から１９までのいずれか１項記載の容器。
【請求項２１】
シャフト（１１５〜１１７）が、室（１０２〜１０４）を画成するシートから自由である、請求項１から２０までのいずれか１項記載の容器。
【請求項２２】
底部分（１０８〜１１０）が一列に配置されている、請求項１から２１までのいずれか１項記載の容器。
【請求項２３】
底部分（１０８〜１１０）が互いに間隔をおいて配置されている、請求項１から２２までのいずれか１項記載の容器。
【請求項２４】
底部分（１２６,１２７）がウェブ（１３０）によって互いに結合されている、請求項１から２３までのいずれか１項記載の容器。
【請求項２５】
少なくとも２つの底部分（１２６,１２７）と底板（１３７）との間に、充填開口（１２８,１２９）を、１つの充填開口（１２９）を除いて閉鎖する中間部材（１３８）が設けられている、請求項１から２４までのいずれか１項記載の容器。
【請求項２６】
設置足（１３６）の底板（１３７）が、底部分（１２７）の開放したままの充填開口（１２９）と注出口（１４１）とを接続する孔（１４０）の閉鎖体として形成されている、請求項１から２５までのいずれか１項記載の容器。
【発明の詳細な説明】
【技術分野】
【０００１】
本発明は、プラスチック製のボトル状の容器に関する。
【０００２】
ＰＣＴ／ＤＥ０３／００４５７に開示されているボトル状又は袋状のプラスチック製容器では、少なくとも１つの室が第２の室から特に、裂開可能な継ぎ目によって切り離されている。このような容器は有利には、２つの成分、特に食品、例えば飲食のために混合されるベビーフードのような２つの成分を、互いに別個に分けて保存するために働く。このような混合は、２つの室を隔てている裂開可能な継ぎ目を容器の揉みほぐしによって裂開させた後で簡単に行われる。
【０００３】
ＰＣＴ／ＤＥ０３／００４５７に開示された容器の袋状の構成には問題がない。しかしながら容器のボトル状の構成では、起立確実性が、継ぎ目において屈曲する室によって損なわれており、起立確実性を高めることができる別の構造上の手段が提案されている。さらに座屈強度もしくは耐座屈性もまたしばしば不十分であり、このことは特に、比較的高さのある容器、例えば上下に室が重なっているような容器において言える。従って公知の構成ではさらに、ほぼ中心において延びている管が、座屈強度及び起立確実性を高めるために容器に挿入されている。
【０００４】
このような先行技術における問題点を背景として、本願発明の課題は、単純なジオメトリを有していて、単純な構造上の構成にもかかわらず、十分な起立確実性と強度とを有している、プラスチック製のボトル状の容器を提供することである。
【０００５】
この課題を解決するために本発明の構成では、プラスチック製のボトル状の容器において、互いに並んで配置された少なくとも２つの室が設けられていて、該室がそれぞれ１つの底部分を備えており、有利には第３の室が、互いに並んで配置された２つの室を、少なくとも部分的に裂開可能な継ぎ目によって互いに隔てているようにした。
【０００６】
それぞれ１つの底部分を備えていて互いに並んで配置された２つの室によって、本発明によるボトル状の容器には、大きな起立確実性と好ましい外観が与えられる。それというのは、例えば継ぎ目において室が座屈することはもはやないからである。また、有利には３つの室の内容物の混合が簡単化される。それというのは、比較的長い裂開可能な継ぎ目が最大横断面にわたって設けられており、その結果、内容成分が横断面狭窄部を通過する必要なしに、内容成分の混合を行うことができるからである。
【０００７】
本発明の有利な構成では、底部分が、平面図で見て尖った楕円形に形成されていて、先端が互いに向かい合うように配置されており、底部分が、一体的な底部によって形成される。このように構成されていると、それぞれ一体的な前面側及び背面側とプラスチック製の底部分との裂開不能な単純な溶着を簡単に行うことができ、そして互いに接触している先端によって結合部が形成され、この結合部において、容器の裂開不能な縁部側の継ぎ目が、裂開可能な内側の継ぎ目とが合致するもしくは出会う。
【０００８】
本発明の別の構成では、第３の室が、互いに並んで配置された２つの室を完全に隔てている。このような構成では、３つの室を互いに裂開可能に隔てている２つの裂開可能な継ぎ目又は２つの裂開可能な継ぎ目区分だけを、設ければよい。この場合第１の択一的な構成では、第３の室に挿入された底部分が設けられており、この底部分は同様に尖った楕円形に形成されていて、互いに並んで配置された室の底部分と一体的に形成されている。このように構成されていると、第３の室を比較的大容量に形成することが可能である。
【０００９】
本発明の有利な構成では、混合の終了した最終製品を取り出すために、特に第３の室が、例えば再閉鎖可能な注出口、裂開可能又は切断可能な注出舌状片又はこれに類したものを備えている。
【００１０】
第３の室のために小さな容積しか必要でない場合に有利な構成では、第３の室が、隣接した室の底部分に向かって先端において終わるように形成されている。
【００１１】
本発明の別の構成では、第３の室の先端と、底部分の互いに向かい合っている先端とが、１つの結合部において終わっているか、又は第３の室の先端が別の継ぎ目において延長されており、該別の継ぎ目が、互いに並んで配置された室を裂開可能に隔てていて、１つの結合部において、隣接した室の２つの底部の互いに向かい合っている先端と合致している。後者の場合、側面図で見て裂開可能な継ぎ目はほぼＹ字形をしている。
【００１２】
本発明によるボトル状の容器の別の構成では、第３の室の先端が、第４の室の先端と合致している。第４の室がさらに特に尖った楕円形の底部分を有していると、第３の室と第４の室とはディアボロに似た形（diaboloaehnlich）をしている。
【００１３】
本発明による容器の充填及び注出を簡単に行うために本発明の別の構成では、互いに直接的に並んで位置している室が上側に、つまり底部分とは反対の側においてそれぞれ、成形部材の、平面図で見てボート形の区分によって閉鎖されている。このように構成されていると、室はほぼ底部分の輪郭を再び描くことができ、それにもかかわらず、ボート形の区分は規則的により小さく形成されている。これらのボート形の区分は、充填のために適宜な貫通孔を備えているか、又は個々の室を単に開けておくことができ、このような開口は室の充填後に封止されるか又は注出口として利用される。
【００１４】
本発明による容器は有利には、中心平面に対して対称的に形成されている。対称的な容器の製造及び充填は、複雑な構造に対して比較的単純である。それというのは、例えば中心平面に対する間隔が等しく形成されているからである。
【００１５】
安定性を高めるために有利な容器の構成では、少なくとも１つの室が底部分によって閉鎖されており、該底部分が充填開口を有していて、底部分が設置足に載置されている。
【００１６】
十分な設置面積と重量とを備えている設置足の構成によって、高い安定性が得られる。そのために本発明の有利な構成では、すべての室が、１つの共通の設置足に載置されている底部分を有しており、設置足が、少なくとも部分的に自由に延びる底板を有している。
【００１７】
底部分のこのような配置形式では、個々の室の充填は底部分の充填開口を通して、一方向からつまり底側から行われる。
【００１８】
そのために有利な構成では、充填開口が、特にすべての充填開口が、設置足を貫いて延びるように延長されている。このような充填開口は室の充填後に例えばスナップ式に閉鎖される。
【００１９】
底部分と設置足とは個別の成形部材によって形成されて、例えば互いに接着又は溶着されることができる。択一的に、底部分と設置足とが一体的に形成されている構成も可能であり、このような構成によって製造コストを節減することができる。
【００２０】
本発明の別の構成では、設置足と底部分との間に円筒形のシャフトが配置されている。このようなシャフトは例えば充填のために、トング状のグリッパ装置によって容易に掴みかつ保持することができる。
【００２１】
本発明の別の有利な構成では、シャフトが、所属の底部分に対して減じられた横断面を有しており、このように構成されていると、シャフトはグリッパ装置のために規定されて、例えば保持区分として認識可能である。
【００２２】
そのためにはシャフトが、室を画成するプラスチックシートから自由であると、有利である。
【００２３】
本発明の別の構成では、底部分が一列に配置されている。この場合底部分は例えば底板の形をした１つの共通の設置足に載設され、底板は縦長の楕円形に形成されている。
【００２４】
本発明の別の構成では、底部分が互いに間隔をおいて配置されていて、従って互いに無関係に独立して形成されている。
【００２５】
本発明の別の構成では、底部部分が平面図で見て三角形もしくはくさび形に形成されていて、特に、隣接した底部分のくさび形に収斂して終わる先端は、互いに向かい合っている。このような構成に基づいて、室を前後において画成する２つのシートを先端においてまとめること、そしてそこに、裂開可能な継ぎ目を、外側における裂開不能な環状の継ぎ目に対して突き合わせて配置することが可能になる。
【００２６】
この場合さらに、三角形もしくはくさび形に終わる底部分の隣接した先端は互いに結合されていることができる。例えばスルー溶着（Durchschweissen）によって、互いに衝突するもしくは合致する継ぎ目の結合部においても、液体シール性の確実な接着及び／又は溶着が可能になる。
【００２７】
底部分が半径方向において互いに離されている場合には、付加的なウェブによって底部分が互いに結合されており、これにより一方では安定性が高められ、かつ他方では充填のためのグリッパ装置用のアダプタが設けられることになる。
【００２８】
本発明による容器の別の構成では、３つの室が設けられており、これらの室は側面図で見て三角形に形成されていて、真ん中の室は設置足に向かって方向付けられて底部分によって閉鎖された先端を有しており、隣接した２つの室は、設置足から離れる方向に方向付けられていて真ん中の室に接触している先端を備えて形成されている。
【００２９】
特に容器のこのような構成では、真ん中の室は比較的大きな上側の延びを有しているので、有利には真ん中の室は底部分とは反対の側に、注出口として形成された挿入体を有している。このような注出口もまた平面図で見て三角形もしくはくさび形に形成されていると有利である。
【００３０】
択一的に、充填開口を容器の内容物を取り出すために利用することも可能である。このような構成では、少なくとも２つの底部分と底板との間に、充填開口を、１つの充填開口を除いて閉鎖する中間部材が設けられていると、有利である。
【００３１】
このような構成において有利には、設置足の底板が、底部分の開放したままの充填開口と注出口とを接続する孔の閉鎖体として形成されている。
【００３２】
次に図面を参照しながら、本発明によるボトル状の容器の実施例を説明する。
【００３３】
図１は、第１実施例を示す図であり、
図２は、第２実施例を示す図であり、
図３は、第３実施例を示す図であり、
図４は、第４実施例を示す図であり、
図５は、第５実施例を示す図であり、
図６は、容器の別の実施例を示す分解図であり、
図７は、図６に示された容器の組み立てられた状態を示す図であり、
図８は、容器のさらに別の実施例を示す図であり、
図９は、ウェブによって結合された２つの底部分を示す図であり、
図１０は、設置足を示す図であり、
図１１は、図９に示されたウェブによって結合された２つの底部分を示す断面図であり、
図１２は、中間部材を示す断面図であり、
図１３は、底板を示す断面図である。
【００３４】
図１に示された本発明によるボトル状の容器１の実施例では、それぞれ底部分４,５を備えている互いに並んで配置された２つの室２,３が設けられており、これによって容器１のために安定した大きな設置面が生ぜしめられる。同様に１つの底部分７を備えた第３の室６が、裂開可能な継ぎ目９,１０で室２,３を互いに隔てている。継ぎ目９,１０が例えば容器１の揉みほぐし又は押圧によって破れると、３つの室２,３,６の内容物は互いに混合し、混合した内容物は、互いに並んで配置された両室２,３を隔てている第３の室６に設けられた例えば再閉鎖可能な注出口８を介して、容器１から取出し可能である。
【００３５】
互いに並んで位置している３つの室２,３,６はその上側を、プラスチック成形部材のボート形をした各１つの区分１１〜１３によって閉鎖されている。再閉鎖可能な注出口８もこれらの区分１１〜１３と一緒に形成されていると簡単である。またボート形の区分１１〜１３は３つの室２,３,６を充填するために貫通孔を有していてもよく、これらの貫通孔は充填後に、注出口８を除いて閉鎖される。
【００３６】
ボート形の区分１１〜１３に相応して底部分４,５,７は尖った楕円形に形成されていて、底部分の先端は互いに向かい合わせにかつ結合部１６,１７において接触するように配置されている。
【００３７】
底部分４,５,７は一体的な底部によって形成される。上に述べたように構成されていることによって、シート状の前面部分１５と底部分４,５,７との間における裂開不能な継ぎ目１４が、各結合部１６,１７において裂開可能な継ぎ目９,１０と合致している。同様なことは容器１の上側において、前面部分１５とボート形の区分１１〜１３との間における裂開不能な継ぎ目１８と、結合部１９,２０における裂開可能な継ぎ目９,１０との間の関係についても言える。
【００３８】
また本発明による容器１の背面に対しても同様なことが言える。
【００３９】
図２に示された容器２４の実施例では、隣接した室２５,２６は、三角形に形成された第３の室２９の継ぎ目２７,２８によって隔てられている。室２９はさらに上側に、キャップによって閉鎖可能な注出口３１を備えたボート形に形成された成形部材３０を有している。
【００４０】
室２５,２６の底部分３２,３３はこの実施例においても同様に尖った楕円形に形成されていて、先端３４,３５が互いに向かい合わせに配置されている。この両方の先端３４,３５に向かって室２９の継ぎ目２７,２８からも同様に先端３６が形成され、その結果前面部分３９と底部分３２,３３との間における裂開不能な継ぎ目３８と、継ぎ目２８,２９とは共に結合部３７において終わっている。
【００４１】
図３に示された実施例においても、互いに隣接した２つの室４０,４１の間に配置された第３の室４２は先端４３を有しており、この先端４３は、室４０,４１の尖った楕円形をした底部分４６,４７の互いに向かい合っている先端４４,４５に向かっている。図３の実施例ではしかしながら先端４３は、別の裂開可能な継ぎ目４８へと延長され、この継ぎ目４８が先端４４,４５にまで延びていて室４０,４１を裂開可能に隔てている。
【００４２】
この実施例では、室４２には注出口を備えたボート形の成形部材が使用されておらず、一貫して室４０,４１,４２の上側を閉鎖する裂開可能な継ぎ目４９が設けられており、この継ぎ目４９は室４２の上で開口のための舌状片５０の形式で裂開可能に形成されている（裂開線５１参照）。もちろん、裂開線５１に沿って舌状片５０を裂開するための力は、室４０〜４２を隔てている継ぎ目４８,５２,５３を裂開するための力よりも大きく設定されている。
【００４３】
図４に示された容器６０の実施例においても、室は６１同様に先端６８において終わっていて、裂開可能な継ぎ目６２,６３で、挿入可能な底部分６６,６７を備えた室６４,６５を隔てている。
【００４４】
室６１に対向して、底部分７０を備えた第４の室６９が配置されており、この第４の室６９の先端は室６１の先端６８と合致しており、その結果、室６１の上側を閉鎖しているボート形の成形部材７１との関連において、裂開不能な継ぎ目６２,６３；７２,７３を備えた両方の室６１,６９はディアボロ形をしている。この容器６０においても底部分６６,６７,７０は共通の一体的な底部によって形成されることができる。
【００４５】
図１〜図４に示された容器の実施例は、中心平面に対して対称的に形成されている。これに対して図５に示された容器８０の実施例は、このような対称的な特性を有していない。
【００４６】
容器８０では隣接した２つの室８１,８２は第３の室８３から、先端８４において終わる継ぎ目８５,８６によって隔てられ、この場合先端８４は別の継ぎ目８７へと続き、室８１,８２の両底部分８８,８９の互いに向かい合った先端と一緒に、結合部において終わっている。
【００４７】
室８１は裂開可能な継ぎ目９２によって別の室９０から隔てられている。この室９０もまた底部分９１を有しており、この底部分９１は、別の底部分８８,８９と共に一体的な底部によって形成されている。
【００４８】
別の裂開可能な継ぎ目９３によって室８２から隔てられた室９４が、底部分なしに形成されている。この室９４及び室８１,８２,８３は上側においてボート形の区分９５〜９７によって形成されており、室８３を閉鎖する真ん中の区分９６は、再閉鎖可能な注出口９８を備えている。
【００４９】
図６及び図７に示された容器１０１は、互いに並んで位置する３つの室１０２,１０３,１０４を有しており、これらの室は裂開可能な継ぎ目１０５,１０６によって互いに隔てられている。
【００５０】
容器１０１が例えば押圧又は揉みほぐしによって負荷されると、継ぎ目１０５,１０６は裂開し、室１０２,１０３,１０４の内容物は互いに混合されることができる。室１０２,１０３,１０４は前側のプラスチックシート及び後ろ側のプラスチックシートによって互いに画成され、両プラスチックシートは縁部側において、ほぼ環状の継ぎ目１０７によって結合されており、この継ぎ目１０７の裂開強度は、裂開可能な継ぎ目１０５,１０６の裂開強度よりも明らかに上であるので、容器１０１の負荷時に継ぎ目１０７が裂開するおそれはない。
【００５１】
３つの室１０２,１０３,１０４は底部側においてそれぞれ底部分１０８〜１１０によって閉鎖されており、この場合各底部分１０８〜１１０は、それぞれ所属の室１０２〜１０４を充填するための充填開口１１１〜１１３を有している。
【００５２】
例えば周囲が接触しておらず互いに隔てられている底部分１０８〜１１０は、共通の１つの設置足１１４に一列に載置されており、この設置足１１４は底板１２１として縦長の楕円形をしていて、容器１０１に大きな起立確実性を与える相応な大きさで形成されている。
【００５３】
図示の実施例では底部分１０８〜１１０及び設置足１１４は一体的に形成されているので、充填開口１１１〜１１３は底板１２１をも貫通しており、室１０２〜１０４の充填後には例えばスナップ止め（Verprellen）によって閉鎖されることができる。
【００５４】
択一的に、底部分と設置足とがそれぞれ別個に形成されている場合には、底部分の充填開口は連続した底板１２１によって、室１０２〜１０４の充填後に閉鎖されることもできる。
【００５５】
設置足１１４と底部分１０８〜１１０との間には、さらに各１つの円筒形のシャフト１１５〜１１７が配置されており、このシャフト１１５〜１１７は横断面円筒形に形成されていて、それぞれ所属の底部分１０８〜１１０に対して減じられた横断面を有している。このようなシャフト１１５〜１１７には、フォーク形又はトング形のグリップ装置が係合して、容器１０１を充填のための保持することができる。そのためには各シャフト１１５〜１１７が、室１０２〜１０４を画成するシートから自由であると有利である。
【００５６】
平面図で見て底部分１０８〜１１０はボート形又は三角形もしくはくさび形をしていて、互いに向かい合っている２つの先端において終わっている。互いに隣接している２つの底部分の先端は互いに結合されていてもよいし、又は図示の実施例におけるように互いに隔てられていてもよい。その結果、互いに隣接した２つの先端の間における自由空間を介して、室１０２〜１０４を画成するシートは互いに直接的に溶着されることができる。
【００５７】
例えば図７に示された側面図から分かるように、この実施例では３つの室１０２〜１０４はほぼ三角形に形成されている。真ん中の室１０３は、設置足１１４に向かって方向付けられた先端を有しており、この先端は底部分１０９によって閉鎖されている。真ん中の室１０３に隣接した外側の２つの室１０２,１０４もまた同様にほぼ三角形に形成されており、両室の先端はそれぞれ設置足１１４の上方に位置するように形成されていて、継ぎ目１０５,１０６もしくは継ぎ目１０７を介して真ん中の室１０３に接触している。
【００５８】
三角形に形成された真ん中の室１０３は上側に比較的長い辺を有している。室１０３を形成する前側及び背側のシートの、互いに反対側に位置する継ぎ目１０７は、そこに挿入体１１８を有しており、この挿入体１１８は平面図で見て同様に三角形もしくはくさび形又はボート形に形成されていて、互いに反対側に位置する２つの先端において終わっており、挿入体１１８はさらに、例えば切断可能な先端１２０を備えた注出体１１９として形成されている。
【００５９】
次に図８〜図１３を参照しながら容器１２２の別の実施例を説明する。
【００６０】
容器１２２はこの実施例では例えば、裂開可能な継ぎ目１２３によって隔てられた２つの室１２４,１２５を有している。充填開口１２８,１２９を備えた２つの底部分１２６,１２７（図４も参照）は、室１２４,１２５の下側を閉鎖している。
【００６１】
この実施例でも三角形もしくはくさび形に形成されている底部分１２６,１２７は、ウェブ１３０によって互いに結合され、このウェブ１３０は、横断面を減じられた円筒形のシャフト１３１,１３２に接続されている。
【００６２】
ウェブ１３０は、室１２４,１２５を画成するシート１３３の下に位置しており、このシート１３３は、裂開不能な継ぎ目１３４によって底部分１２６,１２７と結合されている。ウェブ１３０は従って自由に接近可能である。その結果、ウェブ１３０には、グリップ装置のための横断面正方形の切欠きの形をしたアダプタ１３５が設けられており、グリップ装置は室１２４,１２５を充填するためにウェブ１３０のアダプタ１３５に係合し、容器１２２を保持し、そして充填開口１２８,１２９を通して機械的に充填を可能にする。
【００６３】
互いに隔てられて形成されていてウェブ１３０を介して結合された底部分１２６,１２７を備えた両方の室１２４,１２５は、設置足１３６によって保持されている。設置足１３６は２部分から形成されていて底板１３７と中間部材１３８とを備えている。中間部材１３８は、底部分１２６,１２７のシャフト１３１,１３２を、液体シール作用をもって受容するために、２つの受容孔１３９,１４０を有している。孔１３９は盲孔として形成されているので、充填開口１２８は閉鎖されることができる。
【００６４】
これに対して受容孔１４０は底部分１２７の充填開口１２９を注出口１４１（図１２参照）と接続しており、その結果例えば室１２４,１２５内において混合された液体は混合物として再び室１２４,１２５から取り出されることができる。
【００６５】
注出口１４１の閉鎖体としては底板１３７が働き、この底板１３７はそのために中央に、シール作用をもつ受容部又は栓体１４２を注出口１４１のために有している。
【図面の簡単な説明】
【００６６】
【図１】第１実施例を示す図である。
【図２】第２実施例を示す図である。
【図３】第３実施例を示す図である。
【図４】第４実施例を示す図である。
【図５】第５実施例を示す図である。
【図６】容器の別の実施例を示す分解図である。
【図７】図６に示された容器の組み立てられた状態を示す図である。
【図８】容器のさらに別の実施例を示す図である。
【図９】ウェブによって結合された２つの底部分を示す図である。
【図１０】設置足を示す図である。
【図１１】図９に示されたウェブによって結合された２つの底部分を示す断面図である。
【図１２】中間部材を示す断面図である。
【図１３】底板を示す断面図である。
【図１】
2007506620.tif 000003
【図２】
2007506620.tif 000004
【図３】
2007506620.tif 000005
【図４】
2007506620.tif 000006
【図５】
2007506620.tif 000007
【図６】
2007506620.tif 000008
【図７】
2007506620.tif 000009
【図８】
2007506620.tif 000010
【図９】
2007506620.tif 000011
【図１０】
2007506620.tif 000012
【図１１】
2007506620.tif 000013
【図１２】
2007506620.tif 000014
【図１３】
2007506620.tif 000015
【国際調査報告】
2007506620.tif 000016
2007506620.tif 000017
2007506620.tif 000018
2007506620.tif 000019